(57)【特許請求の範囲】
【請求項１】
非透湿性の材料からなり、一辺が開口部を形成する長方形の平袋であり、開口部を形成する上面部分よりも下面部分が長く、かつ開口部の上面端より袋の底方向の平行位置で上面部分及び下面部分を重ねて折り曲げ、下面部分及び折り曲げられた上面部分を残りの上面部分の上に重畳可能にした糊付壁紙の乾燥防止用養生袋において、
前記開口部に接して互いに相対する両側二周辺に、下面部分と上面部分との付着および脱離を自在に行い得る部材を設け、前記両側二周辺における下面部分と上面部分との脱離によって前記平袋を展開可能としたことを特徴とする糊付壁紙の乾燥防止用養生袋。
【請求項２】
前記下面部分と上面部分との付着および脱離を自在に行い得る部材は、前記両側二周辺の前記折り曲げ位置より下方辺域に設けられていることを特徴とする請求項１に記載の糊付壁紙の乾燥防止用養生袋。
【請求項３】
前記上面部分または下面部分の一方の他方に対向する内面の前記開口部に直交する両側上下領域に亘って、それぞれ条片部材が長手方向の一辺側で一体的に取付けられ、これら条片部材は、それぞれ条片部材の他辺側が対向する他方面部分との当接により内側へ折り畳まれて平袋の両側内で部分的に二重構造を形成することを特徴とする請求項１に記載の糊付壁紙の乾燥防止用養生袋。
【請求項４】
前記上面部分または下面部分の一方は、前記開口部に沿う方向の横幅が他方部分の横幅より長く、両部分の重なり状態で他方部分の両端辺から突出する一方部分の両側端部をそれぞれ他方部分の両端辺に沿って該他方部分を挟むように折り畳まれる長方形状を有し、
前記折り畳まれた両側端部の二周辺と該二周辺に接する他方部分の表面領域との付着および脱離を自在に行い得る部材を設けたことを特徴とする請求項１に記載の糊付壁紙の乾燥防止用養生袋。
【発明の詳細な説明】
【０００１】
【発明の属する技術分野】
本発明は、壁面への貼付までの間、接着剤を塗布しておいた壁紙を収容して接着剤の乾燥を防止するための養生袋に関するものである。
【０００２】
【従来の技術】
現在、建築物の内装施工における壁装材の室内壁面への貼付は、壁紙糊付機を用いてシート状の壁装の裏面に連続的に接着剤を塗布しながら行うのが一般的となっている。このような連続的な糊付け作業では、貼付壁面に応じた長さの、必要枚数分の糊付壁紙がまとまって得られる。従って、全ての貼付が終わるまで、例えば数十分、数時間の間、糊付壁紙を接着剤が乾燥しないように袋に収容して養生しておくことが必要である。
【０００３】
この養生袋としては、様々なものが使用可能ではあるが、市販品等を用いると、養生すべき壁紙の寸法に適合しないこともあって、破損や、密閉性が不充分で過度のあるいは不均一な接着剤の乾燥が生じて満足できる養生効果を得ることが困難であるため、糊付壁紙専用の養生袋を用いることが望まれる。
【０００４】
このような養生袋には、接着剤を塗布した糊付壁紙の袋内への収容や取り出しが容易に行えるとともに、収容中において接着剤の乾燥を良好に防止することが必要である。そこで、図５の平面図（ａ）および（ａ）のＤ−Ｄ断面矢視図（ｂ）に示すような、非透湿性の材料からなる糊付壁紙用養生袋が開発されている。これは、一辺に開口部４４を有する長方形の平袋であり、長方形の材料の短辺の一方を他端から距離を置く平行の位置で折り曲げ、折り曲げて輪となる部分を底とし、重ねられる下面部分４１と上面部分４２の接触する両側周辺域（帯状固着部４５）を帯状に溶着、接着または縫製等の固着方法で閉じることにより袋構造としたものである。
【０００５】
この養生袋では、上面部分４２よりも下面部分４１が長く、上面部分４２の上端辺によって開口部４４が形成されるが、この幅広の開口部４４において、上方の下面部分４１の上面に沿って糊付壁紙を滑らせながら容易に袋内部に収容することができ、また取り出しも容易に行える。壁紙収容時には、開口部４４の上面端より袋の底方向の平行位置で上面部分４２及び下面部分４１を重ねて折り曲げ、折り曲げられた下面部分と上面部分とを残りの上面部分４２の上に重畳することによって、袋内部が密閉され、袋内に収容された壁紙の接着剤が乾燥するのを防ぐことができる。
【０００６】
【発明が解決しようとする課題】
しかしながら、養生袋内部に糊付壁紙を収容している間、接着剤が壁紙端部から袋内面への転写付着が度々生じるが、養生袋は繰り返し使用されることから、前回の収容で袋内面に付着してしていた接着剤が次に収容する壁紙表面へ付着して汚損することがないように、使用前には袋内面の拭き取り洗浄が必要となる。しかし、袋中に手を入れて内面全体を拭き取り洗浄するのは、手間がかかり困難であるとと共に、拭き取り状態がわかり難いため洗浄が不充分で付着接着剤が残ってしまう恐れもある。
【０００７】
本発明は、上記問題点に鑑み、袋内面の充分な拭き取り作業を容易に行い得るとと共に、収容される糊付壁紙の接着剤の乾燥を良好に防止できる糊付壁紙の乾燥防止用養生袋の提供を目的とする。
【０００８】
【課題を解決するための手段】
上記目的を達成するため、請求項１に記載の発明に係る糊付壁紙の乾燥防止用養生袋は、非透湿性の材料からなり、一辺が開口部を形成する長方形の平袋であり、開口部を形成する上面部分よりも下面部分が長く、かつ開口部の上面端より袋の底方向の平行位置で上面部分及び下面部分を重ねて折り曲げ、下面部分及び折り曲げられた上面部分を残りの上面部分の上に重畳可能にした糊付壁紙の乾燥防止用養生袋において、前記開口部に接して互いに相対する両側二周辺に、下面部分と上面部分との付着および脱離を自在に行い得る部材を設け、前記両側二周辺における下面部分と上面部分との脱離によって前記平袋を展開可能としたものである。
【０００９】
また、請求項２に記載の発明に係る糊付壁紙の乾燥防止用養生袋は、請求項１に記載の糊付壁紙の乾燥防止用養生袋において、前記下面部分と上面部分との付着および脱離を自在に行い得る部材が、前記両側二周辺の前記折り曲げ位置より下方辺域に設けられていることを特徴とするものである。
【００１０】
また、請求項３に記載の発明に係る糊付壁紙の乾燥防止用養生袋は、請求項１に記載の糊付壁紙の乾燥防止用養生袋において、前記上面部分または下面部分の一方の他方に対向する内面の前記開口部に直交する両側上下領域に亘って、それぞれ条片部材が長手方向の一辺側で一体的に取付けられ、これら条片部材は、それぞれ条片部材の他辺側が対向する他方面部分との当接により内側へ折り畳まれて平袋の両側内で部分的に二重構造を形成するものである。
【００１１】
また、請求項４に記載の発明に係る糊付壁紙の乾燥防止用養生袋は、請求項１に記載の糊付壁紙の乾燥防止用養生袋において、前記上面部分または下面部分の一方は、前記開口部に沿う方向の横幅が他方部分の横幅より長く、両部分の重なり状態で他方部分の両端辺から突出する一方部分の両側端部をそれぞれ他方部分の両端辺に沿って該他方部分を挟むように折り畳まれる長方形状を有し、前記折り畳まれた両側端部の二周辺と該二周辺に接する他方部分の表面領域との付着および脱離を自在に行い得る部材を設けたものである。
【００１２】
本発明においては、下面部分と上面部分とによって構成される平袋の開口部に接して互いに相対する両側二周辺に、下面部分と上面部分との付着および脱離を自在に行い得る部材を設けたものであり、前記両側二周辺において下面部分と上面部分とを脱離させて袋を展開することができるものである。従って、部材による付着を解いて下面部分と上面部分とを展開状態とすれば、袋内面を完全に露呈させることができ、拭き取り作業を容易に行うことができる。
【００１３】
本発明における下面部分と上面部分とを着脱可能に付着させるための部材としては、例えば、ベルクロ・ファスナ、スライド・ファスナ、レール（帯条）・ファスナ、フォック、ボタン、スナップ・ファスナ等の各種ファスナまたは粘着テープ等、既存のものを含め種々の部材が採用できる。但し本発明に用いるものとしては、上面・下面部分の間をより良く密閉できると共に安価で取付けが容易、また繰り返しの使用に耐えるものが望まれる。
【００１４】
なお、以上のような部材において、用いるものによっては、比較的厚みが大きいものもある。この場合、この部材厚みが、折り曲げ部において僅かな隙間を生じせしめ、収容時間の経過に伴って密閉性の維持が難しくなることも考えられる。そこで、用いる部材の厚みが折り曲げ部で影響しないように、請求項２に記載した如く、部材を設ける領域を、前記両側二周辺の折り曲げ位置より下方辺域とすれば、折り曲げ位置において部材の厚み分による密閉性の低減を回避することができ、接着剤乾燥防止効果が良好に維持できる。
【００１５】
また、請求項３に記載したように、上面部分あるいは下面部分の一方の他方面部分に対向する内面の開口部に直交する両側上下領域に亘って、それぞれ条片部材をその長手方向の一辺側で取付けることにより、これら条片部材がそれぞれ他辺側の対向する他方面部分との当接により内側へ折り畳まれて袋内両側で部分的に二重構造を形成する構成とすれば、付着部における下面部分と上面部分との間の密閉性が向上し、糊付壁紙の接着剤の乾燥防止効果を高めることができる。
【００１６】
なお、本発明は、開口部に接する両側二周辺において下面部分と上面部分とを着脱可能に付着するものであるが、必ずしも開口部と対向する底辺部についても上下面部分を着脱可能とする必要はない。
【００１７】
これは、底辺部において上面部分と下面部分が一体に連通するものであっても、前記両側二周辺で両部分を離脱できれば、平袋を底辺部を中心として一シート状に展開でき、袋内面を構成していた上面部分と下面部分の互いの対面領域前面を露呈できるためである。この場合、本養生袋の製造は、略長方形の一シート状部材を、その短辺の一方を他端から距離を置く平行の位置で折り曲げ、折り曲げて輪となる部分を底辺とし、重ねられる下面部分と上面部分の接触する両側周辺域を前記付着用部材を取付けて着脱可能に閉じるという簡便な工程で袋構造とすることができる。
【００１８】
この底辺部で下面部分と上面部分とが連通する構成としては、予め下面部分と上面部分とを一体成型物として形成しておいたものを用いても、また、上面部分と下面部分とをそれぞれ別体に形成しておいたものを底辺部で互いに溶着や接着により固着してもよい。もちろん、この底辺部においても上面部分と下面部分とが付着部材により着脱可能に付着される構成も可能であるが、その場合、必要な部材数および製造工程数が多くなり、その分コスト高も生じることから、底辺部では付着部材を設けないで下面部分と上面部分とを一体成型あるいは脱離不能に固着して連通する構成とすることが望ましい。
【００１９】
また、前記両側二周辺における下面部分と上面部分との具体的な付着方法としては、重なる下面部分と上面部分との幅を一致させ、両側二周辺の互いに対向当接する上下面部分間に付着部材を介在させるのが最も簡便な構成であるが、この構成に限定するものではない。
【００２０】
例えば、請求項４に記載したように、上面部分あるいは下面部分の一方の開口部に沿う方向の横幅を他方部分の横幅より長くし、両部分の重なり状態で他方部分の両端辺から突出する一方部分の両側端部をそれぞれ他方部分の両端辺に沿って該他方部分を挟むように折り畳まれる長方形状を有するものとし、この折り畳まれた両側端部の二周辺と該二周辺に接する他方部分の表面領域との間に前記付着部材を設ける構成でも展開可能な平袋を構成することができる。この場合、長い方の面部分の折り畳み部分の重なりによって、両側二周辺における下面部分と上面部分との間の密閉性が向上し、収納される糊付壁紙の接着剤乾燥がより良く防止される。
【００２１】
なお、他方より長くするのは上面部分でも下面部分でもいずれの場合でも展開可能な袋構造は得られるが、用いる付着部材が厚みの比較的大きいもので折り畳み部の内側にあると袋内側の密閉性を低減させる可能性がある場合は、上面部分の方を下面部部より横幅を長くして下面部分横幅より突出する両側部分をそれぞれ下面部分両端辺に沿って背面側へ折り畳む構成とすることが望ましい。この場合、下面部分と上面部分との付着部材の厚みは、下面部分の背面側に顕れることになるため、折り曲げ位置では部材厚みの影響は生じないため、袋状態で折り曲げた壁紙収容期間中における密閉性は高く維持される。
【００２２】
なお、本発明による壁紙乾燥防止用養生袋の主要な材料は、非透湿性のフイルム、シートあるいは布帛状物であり、適度の可撓性を有する材料が選択される。それらの、単層であっても、複数の材料を重層した複合材料でもよい。また、必要により透明な材料あるいは金属箔を重層した材料でもよい。それらの材料の例としては、厚さが１０〜６００μｍのポリエチレン、ポリプロピレン、ポリ塩化ビニリデン、ポリ塩化ビニル、ポリエチレンテレフタレート（ＰＥＴ）、ポリアクリル酸エステルまたはナイロンのシートあるいはこれらの素材に着色材または充填材を添加して成形したシート、さらにこれらのシートを重層して成形した複合シートが挙げられる。
【００２３】
【発明の実施の形態】
本発明の第１の実施の形態として、非透湿性の一シート状部材を折って重なる下面部部１とこれより短い上面部分２とで長方形の平袋状に形成されてなる糊付壁紙の乾燥防止用養生袋を図１に示す。図１（ａ）は本実施形態による養生袋の概略平面図、（ｂ）は（ａ）のＡ−Ａ断面矢視図である。
【００２４】
本実施形態による養生袋は、前記一シート状部材を折って輪となる部分で底辺部が形成され、この底辺と直交する両側二周辺で上面部分２と下面部分１とが、が着脱可能に閉じられて、底辺と対向する一辺側の上面部分２の上端辺を開口部４とする袋構造となる。本実施例では、前記両側二周辺で上面部材２と下面部材１とをで一体的に付着および脱離を自在に行い得る部材としてスライド・ファスナ５を用いた場合を示す。
【００２５】
この養生袋は、開口部４である上面部分２の上端辺より袋の底方向の平行位置（折り曲げ位置）３で袋上方の上面部分２及び下面部分１を重ねて折り曲げ、折り曲げられた下面部分および上面部分を残りの上面部分の上に重畳することにより、袋内が密閉されるものである。
【００２６】
このような本実施形態の養生袋で糊付壁紙を養生する際には、まず、下面部分１に対して上面部分２を折り、両側二周辺で両部分を合わせ、それぞれスライド・ファスナ５を閉じて袋構造とする。この養生袋では、上面部分２より長い下面部分１上に沿って、容易に糊付壁紙を開口部４から袋内部へ導入し収容することができる。
【００２７】
袋内部に糊付壁紙収容後、折り曲げ位置３で下面部分１および上面部分２の上方を折り曲げれば、開口部４の全幅方向に亘って袋内部が外部と遮断されて袋内部が密閉され、内部の糊付壁紙が、糊の乾燥を防止されつつ良好に養生保持される。袋内部の糊付壁紙は、前記袋上方の折り曲げ状態を解除すれば、開口部４から容易に取り出せる。
【００２８】
以上のこのように、袋内部に糊付壁紙が保持されている間には、壁紙端部から糊が袋内面に転写して付着していることもあるため、使用後は、前記両側二周辺のスライド・ファスナ５を開ければ、養生袋を一シート状に展開できるので、袋内面を構成していた上面部分２および下面部分１の対向面領域が全て露呈され、容易に付着糊を拭き取って洗浄できる。従って、次回の使用の際に、前回収容された壁紙からの糊の持ち込みがなくなり、新たに収容される糊付壁紙の表面を汚損することはない。
【００２９】
次に、本発明の第２の本実施形態として、上記第１の実施の形態に示した養生袋の密閉性をさらに向上させた糊付壁紙の乾燥防止用養生袋を図２に示す。ここでは、図１と共通の構成を同一符号で示した。
【００３０】
本実施形態では、下面部分１と上面部分２との付着及び脱離を自在に行いうる部材として用いてスライド・ファスナ５の厚み分により、折り曲げ時に、折り曲げ位置３の両側に僅かな隙間が生じて袋内の密閉性が低減する可能性が或る場合、前記両側二周辺のスライド・ファスナ５を、折り曲げ位置３より下方辺域にのみ設けたものである。
【００３１】
これにより、袋上方を折り曲げた際にファスナの部材厚みが折り曲げ位置３で何ら影響せず、隙間なく袋上方が折り曲げられるため、開口部４に全幅方向に亘って折り曲げ位置３で袋内部が外部と隙間なく遮断されて、袋内の壁紙収容期間が長引いても、その期間中に亘って密閉性が低下することなく良好な養生効果が持続できる。
【００３２】
次に、本発明の第３の実施の形態として、上記第１の実施の形態に示した養生袋を基本構成とし両側二周辺における密閉性をさらに向上させる手段を設けた糊付壁紙の乾燥防止用養生袋を図３に示す。図３（ａ）は本実施形態による養生袋の概略平面図、（ｂ）は（ａ）のＢ−Ｂ断面矢視図である。
【００３３】
本実施形態による養生袋は、図１に示した養生袋と同様の基本的構成を有するものである。即ち、一シート状部材を折って下面部分１１とこれより短い上面部分１２とを重ね、輪となる部分で底辺部が形成され、この底辺と直交する両側二周辺で上面部分１２と下面部分１１とが、スライド・ファスナ１５で着脱可能に閉じられて、底辺と対向する一辺側の上面部分１２の上端辺を開口部１４とする袋構造が得られるものである。
【００３４】
この養生袋においても、開口部１４である上面部分１２の上端辺より袋の底方向の平行位置（折り曲げ位置）１３で袋上方の上面部分１２及び下面部分１１を重ねて折り曲げ、折り曲げられた下面部分および上面部分を残りの上面部分の上に重畳することにより、袋内が密閉されるものである。
【００３５】
本実施形態では、さらに、上面部分１２の下面部分１１に対面する内面に、開口部１４に直交する両側上下領域に亘って、それぞれ条辺部材１６をその長手方向の一辺側で一体的に取付けた。これら条辺部材１４は、それぞれ他辺側の下面部分１１との当接により内側へ折り畳まれて袋内両側で部分的に二重構造を形成するものである。
【００３６】
従って、本実施形態による養生袋では、前記両側二周辺においてスライド・ファスナ１５によって閉じられた下面部分１１と上面部分１２との間の密閉性がさらに向上し、袋内部に収容される糊付壁紙の糊の乾燥防止効果を高めることができる。本実施形態では、上面部分１２側に条片部材１６を取付け、下面部分１１に当接することによって条片部材１６を折り曲げる構成としたが、逆に、下面部分１１側に条片部材１６を取付ける構成としても良く、また、両側二周辺でそれぞれ異なる側に条片部材１６を取付けても良い。
【００３７】
次に、本発明に第４の実施の形態として、袋の開口部と底辺部と直交方向の両側二周辺における下面部分と上面部分との付着部材を、下面部分の背面側に設けた場合を図４に示す。図４（ａ）は本実施形態による養生袋の概略平面図、（ｂ）は（ａ）のＣ−Ｃ断面矢視図である。本実施形態では、付着部材としてベルクロ・ファスナを用いる場合を説明する。
【００３８】
本実施形態による養生袋は、非透湿性の一シート状部材を折って重なる下面部部２１とこれより短い上面部分２２とで長方形の平袋状に形成されものであり、折って輪となる部分で底辺部が形成され、この底辺と直交する両側二周辺で上面部分２２と下面部分２１とがベルクロ・ファスナ２５で着脱可能に閉じられて、底辺と対向する一辺側の上面部分２２の上端辺を開口部２４とする袋構造が得られるものである。
【００３９】
但し、上面部部２２は、その横幅が下面部分２１の横幅より長く、下面部分２１上に重ねられて下面部分２１の両端辺より突出する両側部分２２ｘをそれぞれ下面部分２１両端辺に沿って背面側へ折り返すものとした。この両側折り返し部分２２ｘの両側二周辺と該二周辺に接する下面部分２１の背面領域とが、ベルクロ・ファスナ２５によって着脱可能に付着され袋状に閉じされる。
【００４０】
従って、本実施形態による養生袋では、下面部分２１と上面部分２２との付着部材の厚みは、下面部分２１の背面側に顕れることになり、折り曲げ位置２３では付着部材、ここではベルクロ・ファスナ２５の厚みの影響は生じないため、袋上方を折り曲げた際の密閉性は高いものである。さらに、上面部分２１の両側折り返し部分２２ｘの下面部分２２両端辺に沿った背面側への折り返しにより、前記両側二周辺での下面部分２１と上面部分２２との間の密閉性が向上し、収納される糊付壁紙の接着剤乾燥がより良く防止される。
【００４１】
また、使用後は、ベルクロ・ファスナ２５による下面部分２１と上面部分２２との付着を解けば、袋を展開して袋内面であった領域を露呈でき、容易に拭き取り洗浄が行える。
【００４２】
【発明の効果】
以上説明したとおり、本発明の養生袋によれば、糊付壁紙の収容、取り出しが簡便で且つ袋内面の拭き取り作業を容易に行い得るものでありながら、収容される糊付壁紙の接着剤の乾燥を良好に防止できるという効果がある。
【図面の簡単な説明】
【図１】本発明の第１実施形態による糊付壁紙の乾燥防止用養生袋の概略構成図であり、（ａ）は平面模式図、（ｂ）は（ａ）のＡ−Ａ断面矢視図である。
【図２】本発明の第２実施形態による糊付壁紙の乾燥防止用養生袋の概略構成を示す平面模式図である。
【図３】本発明の第３実施形態による糊付壁紙の乾燥防止用養生袋の概略構成図であり、（ａ）は平面模式図、（ｂ）は（ａ）のＢ−Ｂ断面矢視図である。
【図４】本発明の第４実施形態による糊付壁紙の乾燥防止用養生袋の概略構成図であり、（ａ）は平面模式図、（ｂ）は（ａ）のＣ−Ｃ断面矢視図である。
【図５】従来技術による糊付壁紙の乾燥防止用養生袋の一例を示す概略構成図であり、（ａ）は平面模式図、（ｂ）は（ａ）のＤ−Ｄ断面矢視図である。
【符号の説明】
１，１１，２１，４１：下面部分
２，１２，２２，４２：上面部分
２２ｘ：上面部分の両側折り返し部分
３，１３，２３，４３：折り曲げ位置
４，１４，２４，４４：開口部
５，１５：スライド・ファスナ
２５：ベルクロ・ファスナ
４５：帯状固着部
【図１】
0004454103.tif 000002
【図２】
0004454103.tif 000003
【図３】
0004454103.tif 000004
【図４】
0004454103.tif 000005
【図５】
0004454103.tif 000006